【事件の表示】
　特許第３０８７０４８号「カードユニット及びパチンコ機制御ユニット」の請求項１ないし５に係る特許に対する特許異議の申立てについて、次のとおり決定する。
【結　論】
　訂正を認める。
　特許第３０８７０４８号の請求項１ないし２に係る特許を維持する。
【理　由】
１．手続の経緯　特許第３０８７０４８号の請求項１乃至５に係る発明についての出願は、平成３年１２月４日に出願された特願平３−３４８０７６号の一部を平成１０年１２月４日に新たな特許出願とした特願平１０−３４５６９０号であって、平成１２年７月１４日にその発明について特許権の設定登録がなされ、その後、その特許について、異議申立人細江裕実より特許異議の申立てがなされ、取消の理由が通知され、その指定期間内である平成１４年７月２３日に訂正請求がなされたものである。
　　　　　
２．訂正の適否についての判断
　２−１．訂正の内容
　（１）訂正事項ａ
　明細書の特許請求の範囲を、
「【請求項１】タイマを有するパチンコ機制御装置を備えると共に、貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットと交信可能に接続されると共に、前記カードユニットレディ信号及び前記球貸要求信号を発生するカードユニット制御装置を備えるカードユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置によって異常状態であると判定されることを特徴とするカードユニット。
【請求項２】カードユニットレディ信号及び球貸要求信号を発生するカードユニット制御装置を備えるカードユニットと交信可能に接続され、タイマを有するパチンコ機制御装置を備えると共に、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置が前記カードユニットを異常状態であると判定することを特徴とするパチンコ機制御ユニット。」
と訂正する。
　（２）訂正事項ｂ
　明細書の段落【００１３】の記載を、
「【００１３】そこで本発明は、パチンコ機のいずれかの箇所に生じた異常状態に起因して遊技が中断したとき、復旧処理が円滑、かつ、迅速なカードユニット及びパチンコ機制御ユニットを提供することを目的としている。」と訂正する。
　（３）訂正事項ｃ
　明細書の段落【００１４】の記載を、
「【００１４】【課題を解決するための手段】本発明は上記目的を達成させるために、請求項１では、タイマを有するパチンコ機制御装置を備えると共に、貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットと交信可能に接続されると共に、前記カードユニットレディ信号及び前記球貸要求信号を発生するカードユニット制御装置を備えるカードユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置によって異常状態であると判定されることを特徴とする。請求項２記載では、カードユニットレディ信号及び球貸要求信号を発生するカードユニット制御装置を備えるカードユニットと交信可能に接続され、タイマを有するパチンコ機制御装置を備えると共に、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置が前記カードユニットを異常状態であると判定することを特徴とする。」
と訂正する。
　　　
　２−２．訂正の目的の適否、新規事項の有無及び拡張・変更の存否
　上記訂正事項ａは、特許請求の範囲請求項２、４、５を削除すると共に、請求項１、３に係る発明の構成に欠くことができない事項である「遊技処理要求信号の発生に応じて、カードユニット側の異常状態を判定するパチンコ機制御ユニット」を、これに含まれる事項である「貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニット」に具体的に限定するものであるから、特許請求の範囲の減縮を目的とする訂正に該当すると共に、同発明の構成に欠くことができない事項である「球貸要求信号」を「貸出球の払出しを要求する球貸要求信号」及び「貸出指示を示す球貸要求信号」に、また、「球貸処理信号」を「貸出球の払出の要求の了承を示す球貸処理信号」にして、それぞれの信号の内容を明確に規定するものであるから、明りょうでない記載の釈明を目的とする訂正に該当する。
　また、上記訂正事項ｂ、ｃは、上記訂正事項ａによって訂正された特許請求の範囲の記載と発明の詳細な説明の記載とを整合させるための、明りょうでない記載の釈明を目的とする訂正に該当する。
　そして、上記訂正事項ａ乃至ｃは、特許明細書に記載された事項の範囲内において訂正するものであるから新規事項の追加に該当せず、また、実質的に特許請求の範囲を拡張し又は変更するものでもない。
　　　　
　２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　３−１．申立ての理由の概要
　申立人細江裕実は、下記の甲第１乃至６号証を提出し、請求項１乃至５に係る発明は、同発明についての特許出願の日前の他の特許出願であって当該特許出願の後に出願公開された甲第１号証に記載された発明と同一であって、発明者及び出願人が異なるから、請求項１乃至５に係る発明の特許は、特許法第２９条の２の規定に違反してなされたものであり、請求項１乃至５に係る発明の特許を取り消すべき旨主張している。
　甲第１号証：特願平３−２７２９４７号（特開平５−１１１５６８号
　　　　　　　公報）の願書に最初に添付された明細書又は図面
　甲第２号証：特開昭６３−３１１９８２号公報
　甲第３号証：特開昭６３−３１７１７５号公報
　甲第４号証：特開平３−９４７８９号公報
　甲第５号証：特開平２−１７４８８３号公報
　甲第６号証：特開平１−２６１７７０号公報
　　　　
　３−２．本件発明
　上記２．で示したように上記訂正が認められるから、特許第３０８７０４８号の請求項１及び２に係る発明（以下、「本件発明１」及び「本件発明２」という。）は、平成１４年７月２３日付けの訂正明細書の特許請求の範囲の請求項１及び２の記載（前記２−１．（１）訂正事項ａ参照）により特定されるものである。
　　　　
　３−３．先願明細書に記載された事項
　上記甲第１号証に係る特許出願である特願平３−２７２９４７号の願書に最初に添付した明細書又は図面（以下「先願明細書」という。）には以下の事項が記載されている。
「図１は、本発明に係る弾球遊技用装置の一例のパチンコ遊技機６０およびカード処理機６２を示す正面図である。パチンコ遊技機６０の左右方向一側部（図面では左側）にはカード処理機６２がパチンコ遊技機６０に対し分離可能な状態で設けられている。・・・このカード処理機６２にはＣＰＵ，ＲＯＭ，ＲＡＭ等が内蔵されたカード処理機制御部１３５が設けられており、このカード処理機制御部１３５よりカード処理機６２全体が制御される。」（段落【０００８】及び【０００９】）、
「図２は、カード処理機およびパチンコ遊技機の一部内部構造を示す背面図である。カード処理機６２のカード処理機制御部１３５に接続されている配線がパチンコ遊技機６０に設けられている中継端子基板１３８にコネクタ１３９により接続され、カード処理機制御部１３５と中継端子基板１３８とが配線により互いに情報の送受信ができるようになっている。またこの中継端子基板１３８には、払出制御基板ボックス１４５内に収納されている払出集中制御基板７３０，ゲーム制御基板ボックス１４８内に収納されているゲーム制御基板，遊技機用ターミナルボックス１４９，玉払出基板７０が、それぞれコネクタ１４１，１４４，１４３，１４２を介して接続される。」（段落【００１５】及び【００１６】）、
「図７は、カード処理機制御部の制御回路を示すブロック図である。カード処理機制御部１３５（図２参照）にはカード処理機制御用マイクロコンピュータ３００が組込まれている。」（段落【００３８】及び【００３９】）
「さらに、カード処理機制御用マイクロコンピュータ３００は、・・・ＣＰＵ３０１にクロック信号を与えるクロック発生回路３０６と、・・・とが含まれる。」（段落【００４０】）、
「図９は、払出制御基板ボックス１４５（図２参照）に収納されている払出集中制御基板７３０の払出制御回路を示すブロック図である。払出制御回路には払出制御用マイクロコンピュータ３５０が設けられている。」（段落【００５５】及び【００５６】）、
「次にＳ１５に進み、払出制御用マイクロコンピュータに玉貸要求信号の出力を開始する制御がなされる。次にＳ１６に進み、タイマＴ１がセットされ、Ｓ１７に進み、払出制御用マイクロコンピュータから玉貸準備信号が入力されたか否かの判断がなされる。払出制御用マイクロコンピュータでは、Ｓ１５による玉貸要求信号を受けて、玉貸が可能な状態であれば玉貸のための準備制御を行なった後にＳ７７によりカード処理機制御用マイクロコンピュータに玉貸準備信号を出力する処理がなされる。カード処理機制御用マイクロコンピュータがＳ１６によりセットされたタイマＴ１が終了する以前にこの玉貸準備信号を受信すれば、Ｓ１７によりＹＥＳの判断がなされ、Ｓ２０により玉貸指令信号を払出制御用マイクロコンピュータに出力した後、払出制御用マイクロコンピュータの玉貸が終了した旨の信号の送信を待機する処理がなされる。一方、Ｔ１が終了するまで払出制御用マイクロコンピュータから玉貸準備信号が入力されなかった場合にはＳ１９に進み、玉貸要求信号の出力を停止し、貸玉額をクリアする処理がなされてＳ８に進む。」（段落【００６７】）、
「特殊エラーのうちパチンコ遊技機側のエラーの具体例としては、前述した所定の条件が整って初めて信号が変化する玉貸準備信号と玉貸完了信号とが電源投入時の当初から変化している場合，電源投入時に前述した払出可能信号が送信されてこない場合，玉貸完了信号がＴ３（Ｓ２９参照）内に送信されてこない場合，前述した払出可能信号が動作中にＯＦＦになった場合すなわちパチンコ遊技機側の電源遮断あるいは信号線の断線がある。」（段落【００７８】）、
「図１８は、払出制御用マイクロコンピュータ３５０からカード処理機制御用マイクロコンピュータ３００に払出可能信号を出力するための割込みプログラムを示したものであり、Ｓ１５８によりパチンコ遊技機側に玉の払出異常があったか否かの判断が行なわれる。この払出異常の具体例としては、後述する図１４ないし図１６において、払出異常コード表示が行なわれる原因がある。そして、払出異常がある場合には、Ｓ１６０により払出可能信号の出力が停止され、払出異常がない場合はＳ１５９により払出可能信号を出力する。」（段落【００８６】）、
「次に、タイマＴ７がタイムアップするまでの間に、Ｓ１５のステップに従ってカード処理機制御用マイクロコンピュータ３００から玉貸要求信号が送信されてくれば、Ｓ７３によりＹＥＳの判断がなされてＳ７４に進み、玉貸動作のための制御が行なわれる。次にＳ７７に進み、カード処理機制御用マイクロコンピュータ３００に玉貸準備信号を出力する処理が行なわれてＳ７８に進む。Ｓ７８でタイマＴ９がセットされた後Ｓ７９に進み、カード処理機側からの玉貸指令信号があるか否かの判断がなされ、ない場合にはＳ８０によりタイマＴ９がタイムアップするまでＳ７９の判断が繰返し行なわれるように制御される。その間に、Ｓ２０に基づいて玉貸指令信号が送信されてくればＳ８２に進み、貸出中表示器の点滅を開始する制御を行なってＳ９６に進むが、送信されてこない場合にはＳ８１により未払出数がクリアされた後にＳ７０に戻る。」（段落【００９１】及び【００９２】）、
「図１９は、カード処理機とパチンコ遊技機の動作タイミングを説明するためのタイミングチャートを表わす図である。まず電源が投入され（パワーオン）、Ａの時点で玉貸準備信号線がＯＮとなりパチンコ遊技機側の払出可能信号が出力される。次に、カードが受付けられたＢの時点でカード挿入表示器１３２と玉貸可表示器４８ｄとがＯＮになる。次に、玉貸操作検出器４４ｄがＯＮになり遊技者の玉貸操作が検出され、Ｃの時点で玉貸操作有りの検出が行なわれる。この時点で、玉貸可表示器４８ｄがＯＦＦになって消灯されるとともに、玉貸可能信号線がＯＮになり、カード処理機６２が玉貸可能状態となる。このＣの時点から所定の遅延時間ａ（たとえば２０ｍｓｅｃ）だけ経過したＤの時点で、玉貸要求信号線がＯＮになり玉貸要求信号がカード処理機６２からパチンコ遊技機６０側に出力される。この所定の遅延時間ａを設けた理由は玉貸可能信号線がＯＮになったことをパチンコ遊技機側で判定するのに十分な時間を設けてノイズによる誤動作を防止するためである。このＤの時点から、前記Ｓ１８に示したタイマＴ１で計測される玉貸準備信号確認時間ｂ（ｂ≦Ｔ１）が経過したＥの時点で、払出状態信号線がＯＮになり玉貸準備信号がパチンコ遊技機６０側からカード処理機６２側に出力される。この時点からＳ８０に示したタイマＴ９で計測される玉貸指令信号確認時間ｃ（ｃ≦Ｔ９）が経過したＦの時点で、玉貸要求信号線がＯＦＦになりこれを以って玉貸指令信号がカード処理機６２側からパチンコ遊技機６０側に出力されたものとされる。この時点からＳ２９に示したタイマＴ３によって計測される玉貸完了信号確認時間ｄ（ｄ≦Ｔ３）が経過したＧの時点で、払出状態信号線がＯＦＦになりこれを以って玉貸完了信号がパチンコ遊技機６０側からカード処理機６２側に出力されたものとされる。さらにこの時点からＳ７５によるタイマＴ７で計測される次玉貸要求信号確認時間ｅ（ｅ≦Ｔ７）だけ経過したＤの時点で玉貸要求信号線がＯＮになり次の玉貸要求信号がカード処理機６２側からパチンコ遊技機６０側に出力されて、前述と同様に玉貸準備信号の出力，玉貸指令信号の出力，玉貸完了信号の出力が繰返される。そして、図１９では、玉貸要求信号の出力，玉貸準備信号の出力，玉貸指令信号の出力，玉貸完了信号の出力を合計３回繰返し、最後の玉貸完了信号が出力された時点から次玉貸要求信号確認時間ｅの間に玉貸要求信号が出力されなかった場合に、玉貸可能信号線がＯＦＦに切換わる。」（段落【０１０５】乃至【０１０７】）、
「図１に記載された、パチンコ遊技機及びカード処理機の全体正面図」（図１）、
「図２に記載された、パチンコ遊技機の一部内部構造を示す裏面図」（図２）、
「図７に記載された、カード処理機制御部の制御回路のブロック図」（図７）「図９に記載された、払出制御回路のブロック図」（図９）、
「図１０及び１１に記載された、カード処理機制御部の制御回路の動作を説明するフローチャート」（図１０及び１１）、
「図１４乃至１６に記載された、払出制御回路の動作を説明するフローチャート」（図１４乃至１６）、
「図１９に記載された、カード処理機とパチンコ遊技機の動作タイミングを説明するためのタイミングチャート」（図１９）。
　　　　
　３−４．当審の判断
　先願明細書に記載された発明との対比・判断
　（１）本件発明１について
　本件発明１と上記３−３．に摘記した事項から把握される先願明細書に記載された発明を比較すると、
　少なくとも、前者は、パチンコ機制御ユニットが、貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力する構成を有するのに対し、後者は、当該構成を有しない点で相違する。
　そこで上記相違点について検討する。
　上記相違点に係る本件発明１の構成は、先願明細書に記載された事項から自明であるとはいえず、さらに特許異議申立人が周知技術を開示する証拠として提示した甲第２乃至６号証等を参照しても、上記特願平３−３４８０７６号が出願された時点、すなわち本件発明１が出願された時点で周知であるということもできない。
　したがって本件発明１は、先願明細書に記載された発明と同一ではない。
　（２）本件発明２について
　本件発明２と上記３−３．（１）に摘記した事項から把握される先願明細書に記載された発明を比較すると、
　少なくとも、前者は、パチンコ機制御ユニットが、貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するのに対し、後者は、当該構成を有しない点で相違する。
　そこで上記相違点について検討する。
　上記相違点に係る本件発明２の構成は、先願明細書に記載された事項から自明であるとはいえず、さらに特許異議申立人が周知技術を開示する証拠として提示した甲第２乃至６号証等を参照しても、上記特願平３−３４８０７６号が出願された時点、すなわち本件発明２が出願された時点で周知であるということもできない。
　したがって本件発明２は、先願明細書に記載された発明と同一ではない。
　　　　
　３−５．むすび
　以上のとおりであるから、特許異議の申立ての理由によっては本件発明１及び２についての特許を取り消すことはできない。
　さらに申立人が提出した平成１３年１０月２６日、平成１３年１１月２６日、平成１４年１月１８日、及び、平成１４年５月３０日付けの上申書を参照しても、本件発明１及び２についての特許を取り消すべき理由を見出せない。
　また、他に本件発明１及び２についての特許を取り消すべき理由を発見しない。
　したがって、本件発明１及び２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月１６日（２００２．１０．１６）
【訂正の要旨】
訂正の要旨
　（１）訂正事項ａ
　明細書の特許請求の範囲を、
「【請求項１】タイマを有するパチンコ機制御装置を備えると共に、貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットと交信可能に接続されると共に、前記カードユニットレディ信号及び前記球貸要求信号を発生するカードユニット制御装置を備えるカードユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置によって異常状態であると判定されることを特徴とするカードユニット。
　【請求項２】カードユニットレディ信号及び球貸要求信号を発生するカードユニット制御装置を備えるカードユニットと交信可能に接続され、タイマを有するパチンコ機制御装置を備えると共に、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置が前記カードユニットを異常状態であると判定することを特徴とするパチンコ機制御ユニット。」
と訂正する。
　（２）訂正事項ｂ
　明細書の段落【００１３】の記載を、
「【００１３】そこで本発明は、パチンコ機のいずれかの箇所に生じた異常状態に起因して遊技が中断したとき、復旧処理が円滑、かつ、迅速なカードユニット及びパチンコ機制御ユニットを提供することを目的としている。」
と訂正する。
　（３）訂正事項ｃ
　明細書の段落【００１４】の記載を、
「【００１４】【課題を解決するための手段】本発明は上記目的を達成させるために、請求項１では、タイマを有するパチンコ機制御装置を備えると共に、貸出スイッチの操作によるカードユニットレディ信号の発生から、貸出球の払出しを要求する球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットと交信可能に接続されると共に、前記カードユニットレディ信号及び前記球貸要求信号を発生するカードユニット制御装置を備えるカードユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置によって異常状態であると判定されることを特徴とする。請求項２記載では、カードユニットレディ信号及び球貸要求信号を発生するカードユニット制御装置を備えるカードユニットと交信可能に接続され、タイマを有するパチンコ機制御装置を備えると共に、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置が前記カードユニットを異常状態であると判定することを特徴とする。」
と訂正する。
（５４）【発明の名称】
カードユニット及びパチンコ機制御ユニット
（５７）【特許請求の範囲】
　【請求項１】タイマを有するパチンコ機制御装置を備えると共に、
貸出スイッチの操作によるカードユニットレディ信号の発生から、貸出球の払出しを要求する球貸要求信号の発生までが所定時間以内であったか否かに応じて、
し、異常状態の場合に、球排出装置の動作準備完了状態を示すパチンコ機レディ信号を、異常検出を表すカードユニット側エラー信号として出力
と共に、前記カードユニットレディ信号及び前記球貸要求信号を発生する
前記パチンコ機制御装置は、前記カードユニット制御装置から出力される
貸出球の払出しを要求する前記
発生
貸出球の払出の要求の了承を示す
発生
パチンコ機制御装置が貸出指示を示す前記
発生
　【請求項２】
カードユニットレディ信号及び球貸要求信号を発生するカードユニット制御装置を備えるカードユニットと交信可能に接続され、タイマを有するパチンコ機制御装置を備えると共に、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、
前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置が前記カードユニットを異常状態であると判定することを特徴とするパチンコ機制御ユニット。
【発明の詳細な説明】
　【０００１】
　【産業上の利用分野】本発明はカードによって、遊技球の貸出しが可能なカード式パチンコ機の改良に関する。
　【０００２】
　【従来の技術】パチンコ機には、遊技球の貸出しにカードを使用し、パチンコ機に遊技球の貸出し機能を設けたカード式パチンコ機がある。この種のカード式パチンコ機は、遊技用のカードと、このカードが装着されるパチンコ機とから構成され、貸し出された遊技球（以下、貸出球という）をパチンコ機に投入することにより、パチンコ遊技（以下、遊技という）が可能になる。
　【０００３】カードには、遊技球の貸出可能金額データおよび不正防止用のＩＤ符号データからなる遊技情報を書き込むための書込部が設けられ、カードがパチンコ機または遊技球貸出器に装着されたとき、書込部に書き込まれた遊技情報に不都合がないとき、遊技球の貸し出しは可能になる。
　【０００４】パチンコ機にはパチンコ機制御回路が設けられ、パチンコ機制御回路はカードに係る処理およびパチンコ機の各部に係る処理を実行する。パチンコ機制御回路にはカードリードライタが備えられ、カードリードライタは書込部に書き込まれた遊技情報を読み出し、かつ、遊技情報を書込部に書き込む機能が備えられている。
　【０００５】そしてパチンコ機制御回路は所定の操作に応じ、装着済カードの遊技情報をカードリードライタによって読み出し、貸出可能金額データの所望額を所定レートで遊技球数データに変換演算する。このときパチンコ機制御回路は貸出可能金額データから、変換演算された金額を減算して、その差を新たな貸出可能金額データに置き換える。
　【０００６】たとえば新たな遊技を開始する場合および手持ち遊技球数が打ち出しによって「零」または少数まで減少された場合、パチンコ機に設けられたスイッチなどを操作することにより、パチンコ機制御回路は上記変換演算を実行したのち、所定数の貸出球をパチンコ機から払出させる。
　【０００７】このような構成のカード式パチンコ機は、パチンコ機の全体がパチンコ機制御回路によって制御され、このパチンコ機制御回路は、概略マイクロコンピュータおよびソフトウェアからなり、それよりも上位の管理装置に接続されている。
　【０００８】そしてパチンコ機のいずれかの箇所に異常状態が発生した場合、パチンコ機制御回路はその異常状態をパチンコ機の表示灯およびスピーカなどによって表示するので、遊技場側の係員および遊技者はパチンコ機の異常状態を認識できる。
　【０００９】これと同時に、パチンコ機制御回路がパチンコ機の異常状態を表す信号を管理装置に入力するので、管理装置は異常状態にあるパチンコ機を特定できる。
　【００１０】
　【発明が解決しようとする課題】しかしながらパチンコ機の全体が単体のパチンコ機制御回路によって制御されていることから、パチンコ機制御回路自体が異常状態にある場合、異常状態発生時における遊技情報の保持、上記各スイッチの無効化および有効化および装着されているカードの返却処理などの綿密なエラー処理を実行することができない。
　【００１１】また状況によっては、パチンコ機制御回路がソフトウェア上の特定のステップをループするロック状態いわゆる暴走を招くこともあり、このような場合、遊技者に対して早急な復旧を要することから、遊技場側の係員は、一旦、電源の供給を中断したのちに電源供給を再開することにより初期設定している。
　【００１２】したがって、上記異常状態に起因した遊技の中断時にはパチンコ機、カードおよび遊技情報を中断直前の遊技状態に円滑、かつ、迅速に復旧処理することができないことから、遊技意欲を減退させるという問題を招いていた。また、遊技するための貸出球の供給についても、異常状態を避け、簡易な構造で迅速に対処できることが望まれる。
　【００１３】そこで本発明は、パチンコ機のいずれかの箇所に生じた異常状態に起因して遊技が中断したとき、復旧処理が円滑、かつ、迅速な
カードユニット及び
　【００１４】
　【課題を解決するための手段】本発明は上記目的を達成させるために、請求項１では、タイマを有するパチンコ機制御装置を備えると共に、
貸出スイッチの操作によるカードユニットレディ信号の発生から、貸出球の払出しを要求する球貸要求信号の発生までが所定時間以内であったか否かに応じて、
し、異常状態の場合に、球排出装置の動作準備完了状態を示すパチンコ機レディ信号を、異常検出を表すカードユニット側エラー信号として出力
と共に、前記カードユニットレディ信号及び前記球貸要求信号を発生する
前記
貸出球の払出の要求の了承と球払出払出装置からの貸出球の払出完了とを示す
カードユニットレディ信号及び球貸要求信号を発生するカードユニット制御装置を備えるカードユニットと交信可能に接続され、タイマを有するパチンコ機制御装置を備えると共に、貸出スイッチの操作による前記カードユニットレディ信号の発生から、貸出球の払出しを要求する前記球貸要求信号の発生までが所定時間以内であったか否かに応じて、カードユニット側の異常状態を判定し、異常状態の場合に、球排出装置の動作準備完了状態を示すパチンコ機レディ信号を、異常検出を表すカードユニット側エラー信号として出力するパチンコ機制御ユニットにおいて、前記パチンコ機制御装置は、前記カードユニット制御装置から出力される貸出球の払出しを要求する前記球貸要求信号の発生を検出したことに基づいて貸出球の払出の要求の了承を示す球貸処理信号を発生させると共に、前記タイマの計測を開始し、前記タイマの計測する所定時間内に、前記パチンコ機制御装置が貸出指示を示す前記球貸要求信号の発生を検出しない場合には、前記パチンコ機制御装置が前記カードユニットを異常状態であると判定
。
　【００１５】
　【作用】カードユニットはカードユニット制御装置を備え、パチンコ機制御ユニットはパチンコ機制御装置を備え、両ユニットが互いに交信され、球貸処理信号を変化させて出力し、所定時間内に球貸要求信号の変化を入力しない場合は、パチンコ機制御装置のタイマにより貸し出し前に異常状態を確認できる。
　【００１６】
　【実施例】以下に、本発明の一実施例を図面に基いて遊技の場合について詳細に説明する。図１はカード式パチンコ機の構成を示しており、１はカード、２はパチンコ機を示し、パチンコ機２は管理装置３に交信可能に接続されている。
　【００１７】カード１の表面には図示を省略した磁性体が全体的に塗布され、この磁性体の表面にはさらに非磁性体のコーティングが施されている。カード１には、たとえば仮想線で示すように特定個所に書込部４が設けられ、この書込部４には遊技情報が書き込まれている。
　【００１８】この遊技情報は、少なくとも貸出可能金額データからなり、所望により遊技場識別データおよび不正防止のためのＩＤ符号データなどを追加することも可能である。
　【００１９】本実施例における貸出可能金額データは、貸出可能金額データを単位貸出金額（本実施例では１００円）で除算された「商」で表され、この「商」を以下、度数または残度数ということにする。カード１は書込部４を複数のトラックで構成し、種別に応じて別個のトラックに遊技情報を書き込むようにしてもよい。
　【００２０】遊技情報は、図示を省略したカード発行機によって予め書込部４に書き込まれ、上記カード発行機および管理装置３は互いに交信可能に接続されている。
　【００２１】パチンコ機２は、カードユニット５とパチンコ機制御ユニット６とからなるパチンコ機制御回路によって制御される。カードユニット５およびパチンコ機制御ユニット６は、ともにＣＰＵを主構成とするものである。
　【００２２】カードユニット制御装置１０にはリードライトヘッドからなるカードリードライタ７が接続され、カードリードライタ７はカードユニット５に装着されるカード１の書込部４から遊技情報を読み出す機能と、遊技終了時に遊技の進行状況に応じた遊技情報を書込部４に書き込む機能とを備えている。
　【００２３】８で示した貸出スイッチは、カードユニット５に装着されるカード１によって貸出球を借り受ける際に操作するもので、９で示した返却スイッチは、カードユニット５に装着されているカード１を取り出す際に操作するものである。
　【００２４】貸出スイッチ８および返却スイッチ９は、ともにカードユニット制御装置１０に接続され、かつ、パチンコ機２の前面（図示省略）に配置され、カードユニット制御装置１０により押下操作の無効化または有効化が図られる。
　【００２５】カードユニット５にはカードユニット制御装置１０が設けられており、パチンコ機制御ユニット６にはパチンコ機制御装置１１が設けられている。カードユニット制御装置１０は管理装置３と互いに交信可能に接続されている。
　【００２６】カードユニット制御装置１０は、カード１の書込部４に書き込まれた度数（遊技情報）に基いてパチンコ機制御ユニット６側いいかえればパチンコ機２に貸出球の払出しを要求し、貸出球の払出し処理に基いて残度数を減算し、その差を新たな度数に置き換えたのち、この度数をカードリードライタ７によって適宜、書込部４に書き込む。
　【００２７】またカードユニット制御装置１０は後述する複数種のタイマを有し、パチンコ機２へのカード１の装着および遊技者による両スイッチ８，９のいずれかの操作に応じ、パチンコ機制御ユニット６を動作させるための遊技処理要求信号を発生させ、かつ、その旨を表示するための表示信号を発生させる。
　【００２８】上記遊技処理要求信号は、カードユニット５側の異常状態をパチンコ機制御装置１１すなわちパチンコ機制御ユニット６によって検出するためのものでもあり、カードユニットレディ信号と球貸要求信号とから構成されている。
　【００２９】この表示信号はさらに、パチンコ機２の動作の状態を、貸出スイッチＬＥＤ１３、残度数表示ＬＥＤ１４、カード利用可ランプ１５、カード挿入中ランプ１６によって点灯表示するためのもので、これらＬＥＤおよびランプ１３〜１６はカードユニット制御装置１０に接続されており、かつ、カードユニット制御装置１０によって制御される。
　【００３０】上述したカードユニットレディ信号は、カードユニット５が動作準備完了状態にあることと、貸出球が払出動作中であることとを示すものである。球貸要求信号は、遊技情報の加減算および売上信号を出力するとともにパチンコ機制御ユニット６に貸出球の払出しを要求して、１２で示した後述する球排出装置を動作させるためのものである。
　【００３１】パチンコ機制御ユニット６にはパチンコ機制御装置１１が設けられ、パチンコ機制御装置１１はカードユニット制御装置１０いいかえればカードユニット５と互いに交信可能に接続されている。
　【００３２】そしてパチンコ機制御装置１１は、カードユニット５からの貸出球の払出し要求に応じてメモリに格納されている所定数分の貸出球を、球排出装置１２を起動させることによって払出すほか、パチンコ機２の各部を遊技可能に動作させる。
　【００３３】残度数表示ＬＥＤ１４は現在の度数を表示するためのもので、この度数はカードリードライタ７によって読み出された度数に基いて、カードユニット制御装置１０によって上述したように演算され、その演算値は残度数表示ＬＥＤ１４に常時入力されている。
　【００３４】さらにパチンコ機制御装置１１は、上述した遊技処理要求信号のいずれかの発生に基いて、カードユニット５を動作させるためのカード処理要求信号を発生させる。このカード処理要求信号は、パチンコ機制御ユニット６側の異常状態をカードユニット制御装置１０すなわちカードユニット５によって検出するためのものでもあり、パチンコ機レディ信号と球貸処理信号とから構成されている。
　【００３５】パチンコ機レディ信号は、球排出装置１２が動作準備完了状態にあることを、また球貸処理信号はカードユニット５からの貸出球の払い出しを了承したことと、所定数の貸出球が球排出装置１２によって払出しを完了したことを、それぞれ表している。
　【００３６】パチンコ機制御装置１１は上記機能のほか、周知の打球発射装置、入賞球の検出に起因した球排出装置１２による賞品球の払い出し、各種表示灯および効果音発生装置（それぞれ図示省略）など、主にパチンコ機２の各部に係る処理を制御することができる。
　【００３７】球排出装置１２はパチンコ機制御装置１１によって制御されるもので、パチンコ機制御装置１１はカードユニット５側から入力される球貸要求信号の発生に基いて、球排出装置１２を動作させることにより所定数の貸出球を払出すとともに、入賞球の検出に基いて球排出装置１２を動作させることによって所定数の賞品球を払い出す。
　【００３８】上記貸出スイッチＬＥＤ１３は貸出スイッチ８の押下げ（ＯＮ）操作が有効な場合のみに点灯する。
　【００３９】残度数表示ＬＥＤ１４は複数桁の７セグメントＬＥＤからなり、書込部４に書き込まれた度数または球貸後の残度数を示す。そしてカード１がカードユニット５に装着されていない場合、カード１の装着待ち状態として表示残度数表示ＬＥＤ１４には「ーーー」が点灯表示される。
　【００４０】カード利用可ランプ１５は、パチンコ機２がカード１の利用可能状態を示し、カードユニット５およびパチンコ機制御ユニット６が正常動作状態にある場合、カードユニット制御装置１０によって点灯される。
　【００４１】カード挿入中ランプ１６は、カード１がすでにカードユニット５に装着されている状態であることと、カードユニット５のエラー状態とを示し、そしてパチンコ機エラーＬＥＤ１７は、パチンコ機２のいずれかの箇所に異常状態があることを、それぞれ示すものである。
　【００４２】また返却スイッチ９の動作と、カードリードライタ７の書き込み動作とは連動しており、カードリードライタ７は返却スイッチ９の動作時点における残度数データをカード１の書込部４に書き込む。
　【００４３】つぎに上記構成に係る本発明のカード式パチンコ機の動作を図について以下に説明する。
　【００４４】まず電源投入からカード１が装着されるまでの正常動作を説明する。パチンコ機２に図示を省略した電源が投入されると（図２ア参照）、図示を省略したドライバ回路に予め設定されている初期設定用の各種の表示を残度数表示ＬＥＤ１４によって行ったのち（図２イ参照）、各種の信号の初期状態を監視する図示を省略した監視タイマによって監視時間Ｔｓ（秒間）の計測を開始する。
　【００４５】この監視タイマは本実施例においてカードユニット制御装置１０に内蔵されているが、これに限定されるものではなく、監視タイマをパチンコ機制御装置１１に設けたり、カードユニット制御装置１０およびパチンコ機制御装置１１とは別個に設けてもよい。
　【００４６】監視時間Ｔｓが計測されている間に、カードユニット制御装置１０からカードユニットレディ信号が「Ｈ」、球貸要求信号が「Ｈ」、さらにはパチンコ機制御装置１１からパチンコ機レディ信号が「Ｌ」、球貸処理信号が「Ｈ」を出力すると（図２イ参照）、カードユニット５およびパチンコ機制御ユニット６は正常動作状態にあるとみなされ、カードユニット制御装置１０はカード利用可ランプ１５を点灯する。
　【００４７】このときカード１はパチンコ機２に装着されていないので、カードユニット制御装置１０が、カード挿入中ランプ１６を消灯し、残度数表示ＬＥＤ１４に「ーーー」を点灯表示し、かつ、貸出スイッチＬＥＤ１３を消灯させている。このとき貸出スイッチ８および返却スイッチ９は、カードユニット制御装置１０によって押下操作が無効化されている。
　【００４８】ついでカード１が装着されると（図２ウ参照）、カードユニット制御装置１０はカードリードライタ７によってカード１の残度数（本実施例の場合には１００）を読み取り、読み取った残度数を残度数表示ＬＥＤ１４に表示する。これと同時にカードユニット制御装置１０は貸出スイッチＬＥＤ１３およびカード挿入中ランプ１６を点灯し、かつ、貸出スイッチ８および返却スイッチ９の押下操作が有効化される。
　【００４９】つぎにカード１の装着後の正常動作について説明する。
　【００５０】なお本実施例にあっては、単位貸出金額を「１度」当たり１００円に定めるとともに「１度」当たりの貸出球払出数を「２５球」に定め、このデータはパチンコ機制御装置１１内のメモリに格納されている。一方、カードユニット５側では１回当たりの貸出スイッチ８の押下操作（ＯＮ）により、貸出球が「３度分」すなわち７５球（＝２５球×３回）払出されるように設定している。
　【００５１】なお「１度」当たりの貸出球払出数は、上記メモリを交換することまたは「１度」当たりの貸出球払出数設定手段を設けることによって、任意に設定できるようにしてもよい。またカードユニット５側には設定手段が設けられ、１回当たりの貸出スイッチの押下操作（ＯＮ）に基く払出処理回数は任意に設定できるようになっている。
　【００５２】カード１が装着されている状態において、貸出スイッチ８が押下操作されると、カードユニット制御装置１０は、カードユニットレディ信号を「Ｈ」から「Ｌ」に変化させ、同時に貸出スイッチ８および返却スイッチ９の操作がカードユニット制御装置１０により無効化される（図３・０ーア参照）。
　【００５３】つぎにカードユニット制御装置１０は球貸要求信号を「Ｈ」から「Ｌ」に変化させる一方（図３・０ーイ参照）、この「Ｈ」から「Ｌ」への変化がパチンコ機制御装置１１によって検出される。つづいてパチンコ機制御装置１１は球貸処理信号を「Ｈ」から「Ｌ」に変化させる（図３・０ーウ参照）。
　【００５４】この球貸処理信号の「Ｈ」から「Ｌ」への変化がカードユニット５によって検出されると、カードユニット制御装置１０は球貸要求信号を「Ｌ」から「Ｈ」に変化させる（図３・０ーエ参照）。
　【００５５】これに基いてパチンコ機制御装置１１は球排出装置１２を動作させることにより第１回目の球貸処理を開始する一方、カードユニット制御装置１０は残度数を更新するために、球貸処理に応じてカード１の残度数を「１度」減算する。これと同時にカードユニット制御装置１０は第１回目の売上信号として、「１度」に相当する信号を管理装置３に入力する。
　【００５６】ついで球排出装置１２による第１回目の球貸処理が完了すると、パチンコ機制御装置１１は球貸処理信号を「Ｌ」から「Ｈ」に変化させる（図３・０ーオ参照）。この球貸処理信号の「Ｌ」から「Ｈ」への変化をカードユニット制御装置１０が検出すると、第２回目の球貸処理を球排出装置１２に実行させるため、カードユニット制御装置１０は球貸要求信号を「Ｈ」から「Ｌ」に変化させる（図３・０ーカ参照）。
　【００５７】つぎに球貸要求信号の「Ｈ」から「Ｌ」への変化をパチンコ機制御装置１１が検出すると、パチンコ機制御装置１１は球貸処理信号を「Ｈ」から「Ｌ」に変化させる（図３・０ーキ参照）。
　【００５８】この球貸処理信号の「Ｈ」から「Ｌ」への変化をカードユニット制御装置１０が検出すると、カードユニット制御装置１０は球貸要求信号を「Ｌ」から「Ｈ」に変化させ（図３・０ーク参照）、これにより球貸処理が球排出装置１２によって開始される。
　【００５９】これと同時にカード１の残度数が上記同様に更新され、管理装置３にはカードユニット制御装置１０から第２回目の売上信号が入力される。そして第２回目の球貸処理が完了すると、パチンコ機制御装置１１は球貸処理信号を「Ｌ」から「Ｈ」に変化させる（図３・０ーケ参照）。
　【００６０】これをカードユニット制御装置１０が検出すると、第３回目の球貸処理を球排出装置１３に実行させるためにカードユニット制御装置１０は球貸要求信号を「Ｈ」から「Ｌ」に変化させる（図３・０ーコ参照）。
　【００６１】この球貸要求信号の「Ｈ」から「Ｌ」への変化をパチンコ機制御装置１１が検出すると、パチンコ機制御装置１１は球貸処理信号を「Ｈ」から「Ｌ」に変化させる（図３・０ーサ参照）。
　【００６２】この球貸処理信号の「Ｈ」から「Ｌ」への変化をカードユニット制御装置１０が検出すると、カードユニット制御装置１０は球貸要求信号を「Ｈ」から「Ｌ」に変化させる（図３・０ーシ参照）。
　【００６３】これにより球貸処理が球排出装置１２によって開始され、それとともにカード１の残度数が上記同様に更新され、管理装置３に対してカードユニット制御装置１０から第３回目の売上信号が出力される。
　【００６４】第３回目の球貸処理が終了すると、パチンコ機制御装置１１は球貸処理信号を「Ｌ」から「Ｈ」に変化させる（図３・０ース参照）。この変化がカードユニット制御装置１０によって検出されると、カードユニット制御装置１０はカードユニットレディ信号を「Ｌ」から「Ｈ」にし、同時に貸出スイッチ８および返却スイッチ９の操作を有効化する（図３・０ーセ参照）。
　【００６５】つぎに異常状態の例・「エラー１」についてを以下に説明する。本実施例は貸出スイッチ８が押下操作されてから、予め定められた待機時間Ｔ０が経過する間に、カードユニット制御装置１０が球貸要求信号を「Ｈ」から「Ｌ」に変化させない場合の処理に係るものである。
　【００６６】なお待機時間Ｔ０はパチンコ機制御装置１１に内蔵された図示を省略した待機タイマによって計測され、この待機タイマは待機時間Ｔ０をはじめとする複数種の待機時間Ｔ０，Ｔ１，Ｔ２，Ｔ３，Ｔ４，ＴＥ，Ｔｓを計測することができる。また上述した監視タイマと同様、上記待機タイマをカードユニット制御装置１０に設けたり、カードユニット制御装置１０およびパチンコ機制御装置１１とは別個に設けてもよい。
　【００６７】貸出スイッチ８が押下操作されると、カードユニット制御装置１０は、カードユニットレディ信号を「Ｈ」から「Ｌ」にすると同時に、貸出スイッチ８および返却スイッチ９を無効化する。
　【００６８】このカードユニットレディ信号の「Ｈ」から「Ｌ」への変化がパチンコ機制御装置１１によって検出されると、パチンコ機制御装置１１は上記待機タイマによって待機時間Ｔ０の計測を開始する。
　【００６９】ここで正常動作状態にあるならば、パチンコ機制御装置１１が待機時間Ｔ０内に球貸要求信号の「Ｈ」から「Ｌ」への変化を検出するが、待機時間Ｔ０が経過する以前に球貸要求信号の「Ｈ」から「Ｌ」への変化をパチンコ機制御装置１１が検出しない場合、パチンコ機制御装置１１は、カードユニット５側のいずれかの箇所が異常状態「エラー１」にあると判定する（図４・１ーア参照）。
　【００７０】そしてパチンコ機制御装置１１は、カードユニット５側の異常状態「エラー１」が表されたパチンコ機レディ信号をカードユニット制御装置１０に入力し、同時に「エラー１」をパチンコ機エラーＬＥＤ１７に表示する（図４・１ーイ参照）。
　【００７１】またカードユニット制御装置１０はカードユニットレディ信号を「Ｌ」から「Ｈ」に変化させ、これと同時にカード利用可ランプ１５を消灯し、残度数表示ＬＥＤ１４には「ＥＥＥ」を表示するとともに返却スイッチ９を有効化する（図４・１ーウ参照）。
　【００７２】そののちパチンコ機制御装置１１は、カードユニット５側の異常状態をパチンコ機レディ信号の「Ｈ」状態を１０秒間保持することによって表し、１０秒間が経過した時点においてカードユニットレディ信号の「Ｈ」状態を検出すると、パチンコ機レディ信号を「Ｈ」から「Ｌ」に変化させ、同時にパチンコ機エラーＬＥＤ１７を消灯する。
　【００７３】ついでカードユニット制御装置１０は、パチンコ機レディ信号の「Ｈ」から「Ｌ」への変化を検出すると、カード利用可ランプ１５を点灯させ、残度数表示ＬＥＤ１４のエラー表示を残度数の表示に切り換えるとともに、無効であった貸出スイッチ８を有効化する（図４・１ーエ参照）。
　【００７４】つぎに異常状態の例・「エラー２」についてを以下に説明する。本実施例は、パチンコ機制御装置１１が球貸処理信号を「Ｈ」から「Ｌ」に変化させてから、予め定められた待機時間Ｔ２が経過する間にカードユニット制御装置１０が球貸要求信号を「Ｌ」から「Ｈ」に変化させない場合の処理に係るものである。
　【００７５】貸出スイッチ８が押下操作されると、カードユニット制御装置１０はカードユニットレディ信号を「Ｈ」から「Ｌ」にし、それと同時に貸出スイッチ８および返却スイッチ９の操作がカードユニット制御装置１０により無効化される。
　【００７６】そののちカードユニット制御装置１０は球貸要求信号を「Ｈ」から「Ｌ」に変化させ、この変化をパチンコ機制御装置１１が検出すると、パチンコ機制御装置１１は球貸処理信号を「Ｈ」から「Ｌ」に変化させるとともに待機時間Ｔ２の計測を上記待機タイマによって開始する。
　【００７７】ここで正常動作状態にあるならば、待機時間Ｔ２内に球貸処理信号の「Ｈ」から「Ｌ」への変化をカードユニット制御装置１０が検出して球貸要求信号を「Ｌ」から「Ｈ」に変化させ、その変化をパチンコ機制御装置１１は検出するが、この球貸要求信号の「Ｌ」から「Ｈ」への変化を、待機時間Ｔ２内にパチンコ機制御装置１１が検出しない場合、パチンコ機制御装置１１は、カードユニット５側のいずれかの箇所が異常状態「エラー２」にあると判定する（図５・２ーア参照）。
　【００７８】そしてパチンコ機制御装置１１は、カードユニット５側の異常状態が表されたパチンコ機レディ信号をカードユニット制御装置１０に入力するとともに「エラー２」をパチンコ機エラーＬＥＤ１７に表示する（図５・２ーイ参照）。
　【００７９】カードユニット制御装置１０は、上記異常状態に相当するパチンコ機レディ信号を検出すると、その時点において、パチンコ機制御装置１１からパチンコ機レディ信号が「Ｈ」、球貸処理信号が「Ｈ」をそれぞれ出力していることを検出する。
　【００８０】そしてパチンコ機レディ信号の「Ｈ」および球貸処理信号の「Ｈ」が検出されると、カードユニット制御装置１０はカードユニットレディ信号を「Ｌ」から「Ｈ」に、球貸要求信号を「Ｌ」から「Ｈ」にそれぞれ変化させ、かつ、カード利用可ランプ１５を消灯し、残度数表示ＬＥＤ１４にエラー表示を行わせるとともに返却スイッチ９を有効化する（図５・２ーウ参照）。
　【００８１】そののちパチンコ機制御装置１１は、カードユニット５側の異常状態を表すパチンコ機レディ信号を出力後、一旦「Ｌ」に立ち下げてからパチンコ機レディ信号を１０秒間「Ｈ」状態に保持した時点で、カードユニット制御装置１０からカードユニットレディ信号が「Ｈ」、かつ、球貸要求信号が「Ｈ」を出力していることを検出すると、パチンコ機制御装置１１はパチンコ機レディ信号を「Ｈ」から「Ｌ」に変化させ、パチンコ機エラーＬＥＤ１７を消灯する。
　【００８２】ついでカードユニット制御装置１０はパチンコ機レディ信号の「Ｈ」から「Ｌ」への変化を検出すると、カード利用可ランプ１５を点灯するとともに残度数を残度数表示ＬＥＤ１４に表示し、無効であった貸出スイッチ８の操作がカードユニット制御装置１０により有効化される（図５・２ーエ参照）。
　【００８３】つぎに異常状態の例・「エラー３」についてを以下に説明する。本実施例は、貸出スイッチ８の１回操作につき、球排出装置１２を複数回数（２５球×３回）払出処理させるための各球貸処理信号を、パチンコ機制御装置１１が「Ｌ」から「Ｈ」に変化させた時点から、予め定められた待機時間Ｔ４が経過する間にカードユニット制御装置１０が球貸要求信号を「Ｈ」から「Ｌ」に変化させない場合の処理に係るものである。
　【００８４】貸出スイッチ８が押下操作されると、まずカードユニット制御装置１０はカードユニットレディ信号を「Ｈ」から「Ｌ」に変化させると同時に、貸出スイッチ８および返却スイッチ９の操作がカードユニット制御装置１０により無効化される。そののちカードユニット制御装置１０は球貸要求信号を「Ｈ」から「Ｌ」に変化させる。
　【００８５】この球貸要求信号の「Ｈ」から「Ｌ」への変化が検出されると、パチンコ機制御装置１１は球貸処理信号を「Ｈ」から「Ｌ」に変化させる。
　【００８６】この球貸処理信号の「Ｈ」から「Ｌ」への変化がカードユニット制御装置１０によって検出されると、カードユニット制御装置１０は球貸要求信号を「Ｌ」から「Ｈ」に変化させると同時に、カード１の残度数を上記同様に更新するとともに、管理装置３に売上信号を入力する。
　【００８７】つづいてパチンコ機制御装置１１は球貸要求信号の「Ｌ」から「Ｈ」への変化を検出すると、球排出装置１２を動作させることによって第１回目または第２回目の球貸処理を開始する。
　【００８８】ついで第１回目または第２回目の球貸処理が終了すると、パチンコ機制御装置１１は、球貸処理信号を「Ｌ」から「Ｈ」に変化させると同時に、待機時間Ｔ４の計測を上記待機タイマによって開始する。
　【００８９】ここで正常動作状態にあるならば、待機時間Ｔ４内に球貸要求信号の「Ｈ」から「Ｌ」への変化をパチンコ機制御装置１１は検出するが、待機時間Ｔ４内において球貸要求信号の「Ｈ」から「Ｌ」への変化をパチンコ機制御装置１１が検出しない場合、パチンコ機制御装置１１は、カードユニット５側のいずれかの箇所が異常状態「エラー３」にあると判定する（図６・３ーア参照）。
　【００９０】そしてパチンコ機制御装置１１は、カードユニット５側の異常状態が表されたパチンコ機レディ信号をカードユニット制御装置１０に入力するとともに「エラー３」をパチンコ機エラーＬＥＤ１７に表示する（図６・３ーイ参照）。
　【００９１】カードユニット制御装置１０は、上記異常状態に相当するパチンコ機レディ信号を検出すると、カードユニットレディ信号を「Ｌ」から「Ｈ」に変化させ、かつ、カード利用可ランプ１５を消灯するとともに残度数表示ＬＥＤ１４にエラー表示を行わせ、同時に返却スイッチ９の操作がカードユニット制御装置１０により有効化される（図６・３ーウ参照）。
　【００９２】そののちパチンコ機制御装置１１は、カードユニット５側の異常状態を表すパチンコ機レディ信号をカードユニット制御装置１０に入力後、パチンコ機レディ信号を「Ｈ」状態に保持して１０秒間が経過した時点において、カードユニット制御装置１０からカードユニットレディ信号が「Ｈ」、かつ、球貸要求信号が「Ｈ」を出力していることを検出する。
　【００９３】この検出に基いてパチンコ機制御装置１１はパチンコ機エラーＬＥＤ１７を消灯させるとともにパチンコ機レディ信号を「Ｈ」から「Ｌ」に変化させ、パチンコ機レディ信号の「Ｈ」から「Ｌ」への変化がカードユニット制御装置１０によって検出されると、カードユニット制御装置１０はカード利用可ランプ１５を点灯し、残度数表示ＬＥＤ１４のエラー表示を残度数表示ＬＥＤ１４にするとともに無効であった貸出スイッチ８を有効化する（図６・３ーエ参照）。
　【００９４】つぎに異常状態の例・「エラー４」についてを以下に説明する。本実施例は、貸出スイッチ８の１回操作につき、球排出装置１２を複数回数だけ払出処理させる最終回において、パチンコ機制御装置１１が球貸処理信号を「Ｌ」から「Ｈ」に変化させた時点から、予め定められた待機時間ＴＥが経過するまでの間に、カードユニット制御装置１０がカードユニットレディ信号を「Ｌ」から「Ｈ」に変化させない場合の処理に係るものである。
　【００９５】貸出スイッチ８が押下操作されると、まずカードユニット制御装置１０はカードユニットレディ信号を「Ｈ」から「Ｌ」に変化させると同時に、貸出スイッチ８および返却スイッチ９を無効化する。
　【００９６】そののちカードユニット制御装置１０は球貸要求信号を「Ｈ」から「Ｌ」に変化させ、この「Ｈ」から「Ｌ」への変化がパチンコ機制御装置１１によって検出されると、パチンコ機制御装置１１は球貸処理信号を「Ｈ」から「Ｌ」に変化させる。
　【００９７】そしてカードユニット制御装置１０は球貸処理信号の「Ｈ」から「Ｌ」への変化を検出すると、球貸要求信号を「Ｌ」から「Ｈ」に変化させ、カード１の残度数を上記同様に更新するとともに管理装置３に売上信号を入力する。
　【００９８】ついでパチンコ機制御装置１１は、球貸要求信号の「Ｌ」から「Ｈ」への変化を検出すると、球排出装置１２を動作させることによって球貸処理を開始し、その球貸処理の最終回が終了すると、球貸処理信号と「Ｌ」から「Ｈ」に変化させ、パチンコ機制御装置１１は待機時間ＴＥの計測を上記待機タイマによって開始する。
　【００９９】正常動作状態にあるならば待機時間ＴＥ内にカードユニットレディ信号の「Ｌ」から「Ｈ」への変化をパチンコ機制御装置１１は検出するが、待機時間ＴＥ内においてパチンコ機制御装置１１がカードユニットレディ信号の「Ｌ」から「Ｈ」への変化を検出しない場合、パチンコ機制御装置１１は、カードユニット５側のいずれかの箇所が異常状態「エラー４」にあると判定する（図７・４ーア参照）。
　【０１００】つづいてパチンコ機制御装置１１はカードユニット５側の異常状態が表されたパチンコ機レディ信号をカードユニット制御装置１０に入力するとともに「エラー４」をパチンコ機エラーＬＥＤ１７に表示する（図７・４ーイ参照）。
　【０１０１】この異常状態に相当するパチンコ機レディ信号がカードユニット制御装置１０によって検出されると、カードユニット制御装置１０は、カードユニットレディ信号を「Ｌ」から「Ｈ」に変化させ、かつ、カード利用可ランプ１５を消灯するとともに残度数表示ＬＥＤ１４にエラー表示を行わせ、同時に返却スイッチ９を有効化する（図７・４ーウ参照）。
　【０１０２】そののちパチンコ機制御装置１１は、カードユニット５側の異常状態をパチンコ機レディ信号の「Ｈ」状態を１０秒間保持することによって表し、１０秒間が経過した時点においてカードユニットレディ信号の「Ｈ」状態を検出すると、パチンコ機レディ信号を「Ｈ」から「Ｌ」に変化させ、同時にパチンコ機エラーＬＥＤ１７を消灯する。
　【０１０３】このパチンコ機レディ信号の「Ｈ」から「Ｌ」への変化がカードユニット制御装置１０によって検出されると、カードユニット制御装置１０はカード利用可ランプ１５を点灯し、残度数表示ＬＥＤ１４のエラー表示を残度数表示にし、無効であった貸出スイッチ８を有効化する（図７・４ーエ参照）。
　【０１０４】つぎに異常状態の例・「エラー５」についてを以下に説明する。本実施例は、カード１の装着後、パチンコ機制御装置１１がパチンコ機レディ信号を「Ｌ」から「Ｈ」に変化させた場合の処理に係るものである。
　【０１０５】電源投入直後（図８・５ーア，５ーイ参照）、カードユニット５にカード１が装着されると、書込部４に書き込まれた残度数がカードユニット制御装置１０によって残度数表示ＬＥＤ１４に表示される。これと同時にカードユニット制御装置１０は貸出スイッチ８、返却スイッチ９を有効化し、かつ、貸出スイッチＬＥＤ１３を点灯する（図８・５ーエ参照）。
　【０１０６】ついでパチンコ機２に異常が発生するとパチンコ機レディ信号はパチンコ機制御装置１１によって「Ｌ」から「Ｈ」に変化され（図８・５ーオ参照）、この変化をカードユニット制御装置１０が検出すると、カードユニット制御装置１０は、パチンコ機制御ユニット６側が異常状態にあると判定する。つづいて貸出スイッチ８および返却スイッチ９の操作がカードユニット制御装置１０により無効化されるとともに貸出スイッチＬＥＤ１３が消灯される。
　【０１０７】やがてパチンコ機制御ユニット６側の異常状態「エラー５」状態が所定の処置によって解除され、パチンコ機レディ信号が「Ｈ」から「Ｌ」に変化したことをカードユニット制御装置１０によって検出すると、カードユニット制御装置１０は貸出スイッチ８および返却スイッチ９を有効化すると同時に貸出スイッチＬＥＤ１３を点灯させる（図８・５ーカ参照）。
　【０１０８】つぎに異常状態の例・「エラー６」についてを以下に説明する。本実施例は、カードユニット制御装置１０が球貸要求信号を「Ｈ」から「Ｌ」に変化させてから、予め定められた待機時間Ｔ１が経過するまでに、パチンコ機制御装置１１が球貸処理信号を「Ｈ」から「Ｌ」に変化させない場合の処理に係るものである。
　【０１０９】貸出スイッチ８が押下操作されると、カードユニット制御装置１０はカードユニットレディ信号を「Ｈ」から「Ｌ」に変化させ、かつ、貸出スイッチ８および返却スイッチ９を無効化すると同時に、貸出スイッチＬＥＤ１３を消灯させる。
　【０１１０】そののちカードユニット制御装置１０が球貸要求信号を「Ｈ」から「Ｌ」に変化させると同時に、上記待機タイマによって待機時間Ｔ１の計測が開始される（図９・６ーア参照）。
　【０１１１】ここで正常動作状態にあるならば、カードユニット制御装置１０は、待機時間Ｔ１が経過する以前に内に球貸処理信号の「Ｈ」から「Ｌ」への変化を検出するが、球貸処理信号の「Ｈ」から「Ｌ」への変化がカードユニット制御装置１０によって待機時間Ｔ１内に検出されない場合、カードユニット制御装置１０は、パチンコ機制御ユニット６側のいずれかの箇所が異常状態にあると判定する（図９・６ーイ参照）。
　【０１１２】つづいてカードユニット制御装置１０は、カードユニットレディ信号を「Ｌ」から「Ｈ」に変化させたのち（図９・６ーウ参照）、球貸要求信号を「Ｌ」から「Ｈ」に変化させ、同時に貸出スイッチ８および返却スイッチ９を有効化するとともに貸出スイッチＬＥＤ１３を点灯させ、復帰する（図９・６ーエ参照）。
　【０１１３】つぎに異常状態の例・「エラー７」についてを以下に説明する。本実施例は、カードユニット制御装置１０が球貸要求信号を「Ｌ」から「Ｈ」に変化させてから、待機時間Ｔ３が経過する間に、パチンコ機制御装置１１が球貸処理信号を「Ｌ」から「Ｈ」に変化させない場合の処理に係るものである。
　【０１１４】貸出スイッチ８が押下操作されると、カードユニット制御装置１０はカードユニットレディ信号を「Ｈ」から「Ｌ」に変化させると同時に、貸出スイッチ８および返却スイッチ９を無効化したのち、球貸要求信号を「Ｈ」から「Ｌ」に変化させる。
　【０１１５】つづいてパチンコ機制御装置１１は、カードユニット制御装置１０による球貸要求信号の「Ｈ」から「Ｌ」への変化を検出すると、球貸処理信号を「Ｈ」から「Ｌ」に変化させる。そしてカードユニット制御装置１０は、この球貸処理信号の「Ｈ」から「Ｌ」への変化を検出すると、球貸要求信号を「Ｌ」から「Ｈ」に変化させると同時に、待機時間Ｔ３の計測を上記待機タイマによって開始する（図１０・７ーア参照）。
　【０１１６】ここで正常動作状態にあるならば、上記待機時間Ｔ３の間にパチンコ機制御装置１１による球貸処理が終了して、球貸処理信号の「Ｌ」から「Ｈ」への変化がカードユニット制御装置１０によって検出されるが、そうでない場合には、パチンコ機制御ユニット６側の異常状態「エラー７」がカードユニット制御装置１０により判定される。
　【０１１７】この異常状態「エラー７」の判定に基いて、カードユニット制御装置１０は、カード利用可ランプ１５を消灯すると同時に、残度数表示ＬＥＤ１４に「エラー７」を表示し、かつ、返却スイッチ９を有効化する（図１０・７ーイ参照）。
　【０１１８】そののちカードユニット制御装置１０はカードユニットレディ信号を「Ｌ」から「Ｈ」に変化させ（図１０・７ーウ参照）、パチンコ機制御ユニット６側の異常状態「エラー７」状態を解除したのち、パチンコ機制御装置１１は球貸処理信号を「Ｌ」から「Ｈ」に変化させる。
　【０１１９】つづいて上記球貸処理信号の「Ｌ」から「Ｈ」への変化がカードユニット制御装置１０によって検出されると、カードユニット制御装置１０はカード利用可ランプ１５を点灯し、かつ、残度数表示ＬＥＤ１４の「エラー７」表示を残度数表示に切換えるとともに貸出スイッチ８を有効化したのちに貸出スイッチＬＥＤ１３を点灯する（図１０・７ーエ参照）。
　【０１２０】つぎに異常状態の例・「エラー８」についてを以下に説明する。本実施例は、カードユニット制御装置１０が球貸要求信号を「Ｌ」から「Ｈ」に変化させる時点において球貸処理信号が「Ｈ」である場合の処理に係るものである。
　【０１２１】貸出スイッチ８が押下操作されると、カードユニット制御装置１０は、カードユニットレディ信号を「Ｈ」から「Ｌ」に変化させ、これと同時に貸出スイッチ８および返却スイッチ９を無効化し、かつ、貸出スイッチＬＥＤ１３を消灯する。
　【０１２２】そののちカードユニット制御装置１０は球貸要求信号を「Ｈ」から「Ｌ」に変化させると、パチンコ機制御装置１１は、この球貸要求信号の「Ｈ」から「Ｌ」への変化を検出し、球貸処理信号を「Ｈ」から「Ｌ」に変化させる（図１１・８ーア参照）。
　【０１２３】ここで正常動作状態にあるならば、上記球貸処理信号の「Ｈ」から「Ｌ」への変化がカードユニット制御装置１０によって検出されると、カードユニット制御装置１０は球貸要求信号を「Ｌ」から「Ｈ」に変化させ、この球貸要求信号の「Ｌ」から「Ｈ」への変化をパチンコ機制御装置１１が検出したのちに球貸処理を実行し、球貸処理が完了すると、パチンコ機制御装置１１は球貸処理信号を「Ｌ」から「Ｈ」に変化させる。
　【０１２４】しかしながらカードユニット５が球貸要求信号を「Ｌ」から「Ｈ」に変化させようとした時点で、球貸処理信号が「Ｈ」である場合、カードユニット制御装置１０は、パチンコ機制御ユニット６側のいずれかの箇所が異常状態「エラー８」にあると判定して、カードユニット制御装置１０はカード利用可ランプ１５を消灯し、かつ、残度数表示ＬＥＤ１４に「エラー８」を表示させる。
　【０１２５】つづいてカードユニット制御装置１０は、返却スイッチ９を有効化すると同時に、カードユニット制御装置１０に内蔵されたエラー表示継続タイマ（図示省略）によって１０秒間の計測を開始する（図１１・８ーイ参照）。
　【０１２６】そしてカードユニット制御装置１０はカードユニットレディ信号を「Ｌ」から「Ｈ」に変化させたのち、上記エラー表示継続タイマのタイムアップすなわち１０秒間が経過するのを待ち、このエラー表示継続タイマがタイムアップすなわち１０秒間経過するまで、残度数表示ＬＥＤ１４による異常状態「エラー８」の上記表示を継続させる。
　【０１２７】上記エラー表示継続タイマがタイムアップすると、カードユニット制御装置１０はカード利用可ランプ１５を点灯すると同時に、残度数表示ＬＥＤ１４に残度数を表示し、かつ、貸出スイッチ８を有効化したのちに貸出スイッチＬＥＤ１３を点灯して自動復帰する。
　【０１２８】つぎに異常状態の例・「エラー９」についてを以下に説明する。本実施例は、上述した待機時間Ｔ３の計測開始以前にパチンコ機制御装置１１が球貸処理信号を「Ｌ」から「Ｈ」に変化させた場合の処理に係るものである。
　【０１２９】貸出スイッチ８が押下操作されると、カードユニット制御装置１０はカードユニットレディ信号を「Ｈ」から「Ｌ」に変化させ、これと同時に貸出スイッチ８および返却スイッチ９の操作を無効化するとともに貸出スイッチＬＥＤ１３を消灯する。
　【０１３０】そののちカードユニット制御装置１０は球貸要求信号を「Ｈ」から「Ｌ」に変化させ、この球貸要求信号の「Ｈ」から「Ｌ」への変化がパチンコ機制御装置１１によって検出されると、パチンコ機制御装置１１は球貸処理信号を「Ｈ」から「Ｌ」に変化させる。
　【０１３１】つづいてカードユニット制御装置１０が球貸処理信号の「Ｈ」から「Ｌ」への変化を検出すると、カードユニット制御装置１０は球貸要求信号を「Ｌ」から「Ｈ」に変化させるとともに残度数を上記同様に更新し、同時に管理装置３に売上信号を入力する。
　【０１３２】パチンコ機制御装置１１は上記球貸要求信号の「Ｌ」から「Ｈ」への変化の検出によって上記同様に球貸処理を開始し、この球貸処理が終了すると、球貸処理信号を「Ｌ」から「Ｈ」に変化させる。
　【０１３３】ここで正常動作状態にあるならば、球貸処理には球排出装置１２が貸出球を払出すための時間を要し、その時間を待機時間Ｔ３に定めて、球貸要求信号が「Ｌ」から「Ｈ」に変化した直後から所定時間経過した時点で、上記待機タイマによって待機時間Ｔ３の計測を開始するようにしている。
　【０１３４】この待機時間Ｔ３の計測開始前に、カードユニット制御装置１０がパチンコ機制御装置１１により球貸処理信号を「Ｌ」から「Ｈ」に変化させたことを検出すると、カードユニット制御装置１０は、パチンコ機制御ユニット６側の異常状態「エラー９」を判定する。
　【０１３５】そしてカードユニット制御装置１０は、カード利用可ランプ１５を消灯し、かつ、残度数表示ＬＥＤ１４に異常状態「エラー９」を表示するとともに、この異常状態「エラー９」の表示を継続させるために上記エラー表示継続タイマによって１０秒間の計測を開始すると同時に、返却スイッチ９の操作を有効化する（図１２・９ーイ参照）。
　【０１３６】そののちカードユニット制御装置１０はカードユニットレディ信号を「Ｌ」から「Ｈ」に変化させ（図１２・９ーウ参照）、上記エラー表示継続タイマのタイムアップを待つ。上記エラー表示継続タイマが１０秒間を計測すると、カードユニット制御装置１０は、カード利用可ランプ１５を点灯し、かつ、残度数表示ＬＥＤ１４に残度数を表示するとともに貸出スイッチ８の操作を有効化したのち貸出スイッチＬＥＤ１３を点灯して自動復帰する。
　【０１３７】つぎに異常状態の例・「エラー１０」についてを以下に説明する。本実施例は、電源の投入直後から予め定められた待機時間Ｔｓが経過する間に、パチンコ機制御装置１１が球貸処理信号を「Ｈ」で出力しない場合の処理に係るものである。
　【０１３８】電源投入直後（図１３・１０ーア，１０ーイ参照）、正常動作状態にあるならば、カードユニット制御装置１０は、カードユニットレディ信号および球貸要求信号をともに「Ｈ」で出力し、パチンコ機制御装置１１はパチンコ機レディ信号を「Ｌ」、そして球貸処理信号を「Ｈ」で出力する。
　【０１３９】ところが電源投入直後から待機時間Ｔｓが経過しても、パチンコ機制御装置１１が球貸処理信号を「Ｈ」で出力しない場合、カードユニット制御装置１０は、パチンコ機制御ユニット６側のいずれかの箇所が異常状態「エラー１０」にあることを判定する（図１３・１０ーウ参照）。そしてカードユニット制御装置１０は、残度数表示ＬＥＤ１４に「エラー１０」を表示する。
　【０１４０】やがてパチンコ機制御ユニット６側の異常状態「エラー１０」が解除されて、カードユニット制御装置１０によって球貸処理信号の「Ｌ」から「Ｈ」への変化が検出されると、カードユニット制御装置１０は、カード利用可ランプ１５を点灯し、かつ、残度数表示ＬＥＤ１４をカード１の装着待ち状態にある旨を表示する（図１３・１０ーエ参照）。
　【０１４１】つぎに異常状態の例・「エラー１１」についてを以下に説明する。本実施例は、電源投入直後から待機時間Ｔｓが経過する間に、パチンコ機レディ信号が「Ｌ」にならない場合の処理に係るものである。
　【０１４２】電源投入直後（図１４・１１ーア，１１ーイ参照）、正常動作状態にあるならば、カードユニット制御装置１０は、カードユニットレディ信号および球貸要求信号をともに「Ｈ」で出力し、パチンコ機制御装置１１はパチンコ機レディ信号を「Ｌ」、そして球貸処理信号を「Ｈ」で出力する。
　【０１４３】ところが電源投入直後から待機時間Ｔｓが経過してもパチンコ機レディ信号が「Ｌ」で出力されない場合、カードユニット制御装置１０は、パチンコ機制御ユニット６側のいずれかの箇所が異常状態「エラー１１」にあると判定し（図１４・１１ーウ参照）、残度数表示ＬＥＤ１４に「エラー１１」を表示する。
　【０１４４】やがてパチンコ機制御ユニット６側の異常状態「エラー１１」が解除され、パチンコ機制御装置１１からパチンコ機レディ信号が「Ｌ」で出力されたことをカードユニット制御装置１０によって検出すると、カードユニット制御装置１０は上記同様にカード利用可ランプ１５を点灯し、同時に残度数表示ＬＥＤ１４をカード装着待ち表示に切り換える（図１４・１１ーエ参照）。
　【０１４５】つぎに異常状態の例・「エラー１２」についてを以下に説明する。本実施例は、電源投入直後から待機時間Ｔｓが経過する間に、パチンコ機制御装置１１が、球貸処理信号を「Ｈ」で出力せず、かつ、パチンコ機レディ信号を「Ｌ」で出力しない場合の処理に係るものである。
　【０１４６】電源の投入直後に正常動作状態にあるならば、カードユニット制御装置１０は、カードユニットレディ信号および球貸要求信号をともに「Ｈ」で出力し、パチンコ機制御装置１１はパチンコ機レディ信号を「Ｌ」、そして球貸処理信号を「Ｈ」で出力する。
　【０１４７】ところが電源投入直後（図１５・１２ーア，１２ーイ参照）から待機時間Ｔｓが経過しても（図１５・１２ーウ参照）、パチンコ機制御装置１１が、球貸処理信号を「Ｈ」で出力せず、かつ、パチンコ機レディ信号を「Ｌ」で出力しない場合、カードユニット制御装置１０はパチンコ機制御ユニット６側のいずれかの箇所が異常状態「エラー１２」にあることを判定して（図１５・１２ーウ参照）、残度数表示ＬＥＤ１４に「エラー１２」を表示する。
　【０１４８】やがてパチンコ機制御ユニット６側の異常状態「エラー１２」が解除され、パチンコ機制御装置１１から球貸処理信号が「Ｈ」で出力され、かつ、パチンコ機レディ信号が「Ｌ」になったことがカードユニット制御装置１０によって検出されると、カード利用可ランプ１５が点灯し、残度数表示ＬＥＤ１４はカード装着待ち表示を行う（図１５・１２ーエ参照）。
　【０１４９】つぎに異常状態の例・「エラー１３」についてを以下に説明する。本実施例は、カードユニット制御装置１０がカードユニットレディ信号を「Ｌ」で出力している状態において、パチンコ機制御装置１１がパチンコ機レディ信号を「Ｌ」から「Ｈ」に変化させた場合の処理に係るものである。
　【０１５０】カードユニットレディ信号が「Ｌ」の状態において、パチンコ機制御装置１１がパチンコ機レディ信号を「Ｌ」から「Ｈ」に変化させたことをカードユニット制御装置１０によって検出すると（図１６・１３ーウ参照）、カードユニット制御装置１０は、パチンコ機制御ユニット６側のいずれかの箇所が異常状態「エラー１３」にある判定する。
　【０１５１】そしてカードユニット制御装置１０はカードユニットレディ信号を「Ｌ」から「Ｈ」に変化させ、かつ、カード利用可ランプ１５を消灯するとともに残度数表示ＬＥＤ１４に「エラー１３」を表示したのち、返却スイッチ９の操作を有効化する（図１６・１３ーウ参照）。
　【０１５２】やがて異常状態「エラー１３」が解除され、パチンコ機レディ信号の「Ｌ」状態および球貸処理信号の「Ｈ」状態がカードユニット制御装置１０によって検出されると、カードユニット制御装置１０はカード利用可ランプ１５を点灯し、残度数表示ＬＥＤ１４に残度数を表示し、貸出スイッチ８を有効化して貸出スイッチＬＥＤ１３を点灯する（図１６・１３ーエ参照）。
　【０１５３】つぎに異常状態の例・「エラー１４」についてを以下に説明する。本実施例はカードユニット制御装置１０がカードユニットレディ信号と球貸要求信号を「Ｈ」で出力している状態において、パチンコ機制御装置１１が球貸処理信号を「Ｈ」から「Ｌ」に、または「Ｌ」から「Ｈ」に変化させた場合の処理に係るものである。
　【０１５４】球貸処理信号が「Ｈ」の状態において、パチンコ機制御装置１１が球貸処理信号を「Ｈ」から「Ｌ」に、または「Ｌ」から「Ｈ」に変化させたことをカードユニット制御装置１０によって検出すると、カードユニット制御装置１０は、カード利用可ランプ１５を消灯し、かつ、残度数表示ＬＥＤ１４に「エラー１４」を表示する。
　【０１５５】これと同時にカードユニット制御装置１０が貸出スイッチ８および返却スイッチ９の操作を無効化し、かつ、貸出スイッチＬＥＤ１３を消灯する（カード装着中…図１７・１４ーア参照）。この状態からは外部リセットスイッチ（図示省略）を操作することにより復帰する。
　【０１５６】
　【発明の効果】本発明は以上説明したように、パチンコ機はカードユニットおよびパチンコ機制御ユニットに組み込まれた複数の制御回路によって制御され、カードユニット及びパチンコ機制御ユニットがカードユニットレディ信号、球貸要求信号及び球貸処理信号を駆使して交信状態を保ちながら機能を維持することによって、各信号の状態に応じて互いに異常状態が発生しているか否かを検出するので、迅速な対応が得られる。
　【０１５７】また、パチンコ機制御ユニットに入力されるカードユニットレディ信号及び球貸要求信号を、パチンコ機制御装置のタイマにより監視することによってカードユニットの異常を検出することができると共に、貸出球及び賞品球の払い出し処理を行うことができる。また、カードユニットに影響されずに払い出し処理の点検、整備を迅速に行える。
【図面の簡単な説明】
　【図１】本発明の一実施例の構成を表わしたブロック図である。
　【図２】図１に示したカードユニットおよびパチンコ機制御ユニットの制御に係る信号のタイミングを表す図である。
　【図３】図２と異る例を示した図である。
　【図４】図３と異る例を示した図である。
　【図５】図４と異る例を示した図である。
　【図６】図５と異る例を示した図である。
　【図７】図６と異る例を示した図である。
　【図８】図７と異る例を示した図である。
　【図９】図８と異る例を示した図である。
　【図１０】図９と異る例を示した図である。
　【図１１】図１０と異る例を示した図である。
　【図１２】図１１と異る例を示した図である。
　【図１３】図１２と異る例を示した図である。
　【図１４】図１３と異る例を示した図である。
　【図１５】図１４と異る例を示した図である。
　【図１６】図１５と異る例を示した図である。
　【図１７】図１６と異る例を示した図である。
　【符号の説明】
　１　カード
　２　パチンコ機
　３　管理装置
　４　書込部
　５　カードユニット
　６　パチンコ機制御ユニット
　７　カードリードライタ
　８　貸出スイッチ
　９　返却スイッチ
　１０　カードユニット制御装置
　１１　パチンコ機制御装置